(57)【要約】【課題】レバーハンドルの傾動操作による可動弁体の変形、損傷及びシール性の悪化が生じないシングルレバー水栓を提供する。【解決手段】シングルレバー水栓１０は、円筒状の水栓本体１２に収容された可動弁体１９と固定弁体２０を有するカートリッジ１３と、支軸１５ａを介してカートリッジ１３に傾動可能に軸支されその一端側（上端部１４ａ）をレバーハンドル２５で操作することにより他端側（下端部１４ｂ）において可動弁体１９を固定弁体２０上で移動させる弁体操作レバー１４と、を備え、弁体操作レバー１４の他端側（下端部１４ｂ）の円弧運動を水平運動に変換して可動弁体１９に伝達するため水平方向のみに移動可能な伝達部材１６を設けている。伝達部材１６に設けられた一対のリブ状のガイド部が、レバーガイド１５下面側に設けられた一対のガイド溝（ガイド受け部）にスライド可能に係合している。【選択図】図１
2008240981.tif 000002
【特許請求の範囲】
【請求項１】
筒状の水栓本体に収容された可動弁体と固定弁体とを有するカートリッジと、前記カートリッジに傾動可能に軸支されその一端側をレバーハンドルで操作することによって他端側において前記可動弁体を前記固定弁体上で移動させる弁体操作レバーと、を備えたシングルレバー水栓において、
前記弁体操作レバーの他端側の円弧運動を水平運動に変換して前記可動弁体に伝達するため水平方向にのみ移動可能な伝達部材を設けたことを特徴とするシングルレバー水栓。
【請求項２】
前記伝達部材に設けられたガイド部を水平方向のみに移動可能に保持するガイド受け部を設けたことを特徴とする請求項１記載のシングルレバー水栓。
【請求項３】
前記ガイド部は前記伝達部材から突出状に形成されたリブであり、前記ガイド受け部は前記リブがスライド可能に係合するガイド溝であることを特徴とする請求項２記載のシングルレバー水栓。
【請求項４】
前記ガイド部及び前記ガイド溝を複数設けたことを特徴とする請求項３記載のシングルレバー水栓。
【請求項５】
前記弁体操作レバーと共に回動するレバーガイドを前記カートリッジ内に配置し、前記レバーガイドに前記ガイド受け部を設けたことを特徴とする請求項２〜４のいずれかに記載のシングルレバー水栓。
【発明の詳細な説明】
【技術分野】
【０００１】
本発明は、１本のレバーハンドルを傾動操作することにより流量調節を行う機能を備えたシングルレバー水栓に関する。
【背景技術】
【０００２】
シングルレバー水栓については、従来、様々な構造が提案されているが、本願発明に関連するものが特許文献１〜３に記載されている。特許文献１記載の湯水混合栓においては、可動板上に装着されたスライダー部材の円筒部内に作動レバーの作用部が挿入され、作動レバーの傾動操作に伴って円弧運動する作用部によってスライダー部材とともに可動板が水平移動する。特許文献２記載のシングルレバー式水栓においては、レバー軸の主操作部がディスクキャップのラック溝に挿入され、レバー軸の傾動に伴って円弧運動する主操作部によってディスクキャップが水平移動する。特許文献３記載のシングルレバー式水栓においては、作用軸の外周に外嵌された可動ブッシュが可動ディスクの係入穴内に滑り板の突筒部を介して係入され、操作レバーの傾動操作に伴って円弧運動する作用軸によって可動ディスクが水平移動する。
【０００３】
【特許文献１】特開昭５７−２００７７５号公報
【特許文献２】特開平８−６１５３０号公報
【特許文献３】実開平５−１９７４８号公報
【発明の開示】
【発明が解決しようとする課題】
【０００４】
シングルレバー水栓においては、レバーハンドルの傾動操作に伴って傾動する弁体操作レバーを介して可動弁体を水平移動させるため、弁体操作レバーの作用部の円弧運動を可動弁体の水平運動に変換する必要がある。ところが、弁体操作レバーの作用部の円弧運動を直接的に可動弁体の水平運動に変換しようとすると、水平方向の分力以外の分力（跳ね上げ力及び押し下げ力）が可動弁体に加わる。このような跳ね上げ力及び押し下げ力が可動弁体に加わると、弁体操作レバーの作用部と可動弁体との嵌合部に負荷が加わって変形したり、可動弁体が傾いて可動弁体と固定弁体との間のシール性が悪化したりすることがある。
【０００５】
特許文献１〜３に記載のシングルレバー水栓においては、弁体操作レバーと可動弁体との摺動抵抗を低減する工夫が施されているが、前述した跳ね上げ力及び押し下げ力が可動弁体に加わるため、可動弁体の変形、損傷あるいはシール性の悪化を回避することができない。
【０００６】
本発明が解決しようとする課題は、レバーハンドルの傾動操作による可動弁体の変形、損傷及びシール性の悪化が生じないシングルレバー水栓を提供することにある。
【課題を解決するための手段】
【０００７】
本発明のシングルレバー水栓は、筒状の水栓本体に収容された可動弁体と固定弁体とを有するカートリッジと、前記カートリッジに傾動可能に軸支されその一端側をレバーハンドルで操作することによって他端側において前記可動弁体を前記固定弁体上で移動させる弁体操作レバーと、を備えたシングルレバー水栓において、
前記弁体操作レバーの他端側の円弧運動を水平運動に変換して前記可動弁体に伝達するため水平方向にのみ移動可能な伝達部材を設けたことを特徴とする。
【０００８】
このような構成とすれば、弁体操作レバーの他端側の円弧運動を水平運動に変換して前記可動弁体に伝達する伝達部材は水平方向にのみ移動可能であるため、レバーハンドルの傾動操作に伴って弁体操作レバーの他端側が円弧運動するときに生じる、水平方向の分力以外の分力（跳ね上げ力及び押し下げ力）が可動弁体に加わることがない。このため、レバーハンドルの傾動操作による可動弁体の変形、損傷及びシール性の悪化が生じない。
【０００９】
ここで、前記伝達部材に設けられたガイド部を水平方向のみに移動可能に保持するガイド受け部を設ければ、伝達部材はガイド部に沿って確実に水平移動するため、変形、損傷の防止効果及びシール性の維持効果を高めることができる。
【００１０】
この場合、前記ガイド部は前記伝達部材から突出状に形成されたリブであり、前記ガイド受け部は前記リブがスライド可能に係合するガイド溝であることが望ましい。このような構成とすれば、伝達部材を確実に水平方向のみに移動可能に保持する機能を維持しながら、構造の簡素化及びコンパクト化を図ることができる。
【００１１】
この場合、前記ガイド部及び前記ガイド溝を複数設ければ、伝達部材を水平維持する機能が高まるので、変形、損傷の防止及びシール性の悪化防止の効果をさらに高めることができる。
【００１２】
また、前記弁体操作レバーと共に回動するレバーガイドを前記カートリッジ内に配置し、前記レバーガイドに前記ガイド受け部を設けることが望ましい。このような構成とすれば、レバーガイドは弁体操作レバーが軸支される部材であるため、ここにガイド受け部を設けることにより、傾動操作中に伝達部材が受ける、水平方向の分力以外の分力（跳ね上げ力及び押し下げ力）がレバーガイド以外の部材に伝わり、悪影響を及ぼすのを回避することができる。
【発明の効果】
【００１３】
本発明により、レバーハンドルの傾動操作による可動弁体の変形、損傷及びシール性の悪化が生じないシングルレバー水栓を提供することができる。
【発明を実施するための最良の形態】
【００１４】
以下、図面に基づいて、本発明の実施の形態について説明する。図１は本発明の実施の形態であるシングルレバー水栓の一部切欠斜視図、図２は図１に示すシングルレバー水栓の垂直断面図、図３は図１に示すシングルレバー水栓を構成するカートリッジの平面図、図４は図３おけるＡ−Ａ線断面図、図５は図４に示すカートリッジの分解斜視図である。
【００１５】
図１〜図５に示すように、本実施形態のシングルレバー水栓１０においては、レバーハンドル２５の操作により湯水混合水を吐出する吐水口１１を有する筒状の水栓本体１２内にバルブ機構を有するカートリッジ１３が収容され、このカートリッジ１３の上面に弁体操作レバー１４が傾動および回動可能に設けられている。カートリッジ１３内には、弁体操作レバー１４と共に回動するレバーガイド１５が配置され、弁体操作レバー１４は水平な支軸１５ａを介してレバーガイド１５に傾動可能に取り付けられている。また、弁体操作レバー１４を回動操作及び傾動操作するためのレバーハンドル２５が弁体操作レバー１４の上端部１４ａに連結されている。レバーハンドル２５を前後に傾動させることによって吐水口１１からの吐水、止水の切り換えを行い、水栓本体１２の軸心１２ｃを中心にレバーハンドル２５を回動させることによって吐水口１１から吐出される混合水の温度調節を行う。
【００１６】
図５に示すように、カートリッジ１３においては、上下で外径の異なる二段円筒形状のケース１３ａの上部に、弁体操作レバー１４を軸支する支軸１５ａを有するレバーガイド１５、弁体操作レバー１４の下端部１４ｂに着脱可能に被着される伝達部材１６、レバーガイド１５を下面側から支える略リング状の支持部材１８、支持部材１８外周とケース１３ａ内周との間に挟持されるＯリング１７が収容されている。ケース１３ａの下端開口部には、下面にパッキン２４が装着された底蓋２３が取り付けられ、底蓋２３外周とケース１３ａとの間にＯリング２２が挟持され、底蓋２３の上面にパッキン２１を介して固定弁体２０が取り付けられ、固定弁体２０の上面に可動弁体１９がスライド可能に配置されている。弁体操作レバー１４の下端部１４ｂに被着された伝達部材１６は、可動弁体１９の略中央部に設けられた凹部１９ａ内に着脱可能に嵌め込まれている。
【００１７】
伝達部材１６は箱体状の部材であり、その上面開口の対向する片縁部に、外側に突出した一対のリブ状のガイド部１６ａが設けられ、レバーガイド１５の下面に、ガイド受け部として、一対のガイド部１６ａがそれぞれスライド可能に係合する一対のガイド溝１５ｂが水平に設けられている。伝達部材１６のガイド部１６ａ，１６ａをそれぞれレバーガイド１５のガイド溝１５ｂ，１５ｂに差し込むと、伝達部材１６はレバーガイド１５の下面に垂下状に保持され、ガイド溝１５ｂの長手方向（水平方向）にのみ移動可能である。
【００１８】
このように、シングルレバー水栓１０は、円筒状の水栓本体１２に収容され可動弁体１９を有するカートリッジ１３と、支軸１５ａを介してカートリッジ１３に傾動可能に軸支されその一端側（上端部１４ａ）を操作することによって他端側（下端部１４ｂ）において可動弁体１９を移動させる弁体操作レバー１４と、を備え、弁体操作レバー１４の他端側（下端部１４ｂ）の円弧運動を水平運動に変換して可動弁体１９に伝達するため水平方向にのみ移動可能な伝達部材１６を設けている。
【００１９】
次に、図６〜図１２に基づいて、図１に示すシングルレバー水栓１０のレバーハンドル２５を傾動操作したときの伝達部材１６の機能等について説明する。図６は図４に示すカートリッジを構成するレバーガイドユニットの斜視図、図７は図４に示すカートリッジが止水状態にあるときの側面図、図８は図４に示すカートリッジが吐水状態にあるときの側面図、図９は図７に示すカートリッジの垂直断面図、図１０は図８に示すカートリッジの垂直断面図、図１１は図９に示すカートリッジの部分斜視図、図１２は図１０に示すカートリッジの部分斜視図である。
【００２０】
図１に示すように、レバーハンドル２５が止水状態にあるとき、図６，図７，図９及び図１１に示すように弁体操作レバー１４は直立状態に保たれている。次に、レバーハンドル２５を傾動させて吐水状態にすると、図８，図１０及び図１２に示すように、弁体操作レバー１４の上端部１４ａが円弧運動することによって支軸１５ａを中心に下端部１４ｂも円弧運動し、伝達部材１６を介して可動弁体１９を移動させる。このとき、伝達部材１６は水平方向にのみ移動可能であるため、レバーハンドル２５の傾動操作に伴って弁体操作レバー１４の下端部１４ｂが円弧運動するときに生じる、水平方向の分力以外の分力（跳ね上げ力及び押し下げ力）が可動弁体１９に加わることがない。従って、レバーハンドル２５の傾動操作による可動弁体１９の変形、損傷及びシール性の悪化が生じない。
【００２１】
また、伝達部材１６に設けられた一対のリブ状のガイド部１６ａがスライド可能に係合する一対のガイド溝１５ｂがレバーガイド１５の下面側に設けられているため、伝達部材１６はガイド溝１５ｂに沿って確実に水平移動する。このため、可動弁体１９の変形、損傷の防止及びシール性の維持に有効である。
【００２２】
さらに、リブ状のガイド部１６ａ及びガイド溝１５ｂはそれぞれ二つずつ設けられているため、伝達部材１６を水平維持する機能が高く、可動弁体１９の変形、損傷の防止及びシール性の悪化防止に非常に有効である。
【００２３】
また、カートリッジ１３内に配置され、弁体操作レバー１４と共に回動するレバーガイド１５にガイド溝１５ｂが設けられているため、レバーハンドル２５の傾動操作中に弁体操作レバー１４の下端部１４ｂから伝達部材１６が受ける、水平方向の分力以外の分力（跳ね上げ力及び押し下げ力）がレバーガイド１５以外の部材に伝わり難く、他の部材への悪影響を回避することができる。なお、本実施形態では、伝達部材１６を水平方向のみに移動可能に保持する手段として、リブ状のガイド部１６ａとガイド溝１５ｂとを組み合わせたスライド機構を採用しているが、これに限定するものではないので、例えば、レバーガイドに開設された水平方向の孔（ガイド受け部）に、伝達部材に付設された線状部材（ガイド部）をスライド可能に挿通させることにより、伝達部材を水平方向にみに移動可能に保持する機構を構成することもできる。
【００２４】
また、本実施形態のシングルレバー水栓１０は、１本のレバーハンドル２５を傾動操作することにより吐水・止水及び流量調節を行い、レバーハンドル２５を回動操作することにより水温調節を行う機能を有するものであるが、本発明はこれに限定しないので、１本のレバーハンドルを傾動操作することにより流量調節のみを行う方式のシングルレバー水栓においても実施することができる。
【産業上の利用可能性】
【００２５】
本発明は、一般住宅の台所や飲食店の厨房の流し台などの給湯水設備として広く利用することができる。
【図面の簡単な説明】
【００２６】
【図１】本発明の実施の形態であるシングルレバー水栓の一部切欠斜視図である。
【図２】図１に示すシングルレバー水栓の垂直断面図である。
【図３】図１に示すシングルレバー水栓を構成するカートリッジの平面図である。
【図４】図３おけるＡ−Ａ線断面図である。
【図５】図４に示すカートリッジの分解斜視図である。
【図６】図４に示すカートリッジを構成するレバーガイドユニットの斜視図である。
【図７】図４に示すカートリッジが止水状態にあるときの側面図である。
【図８】図４に示すカートリッジが吐水状態にあるときの側面図である。
【図９】図７に示すカートリッジの垂直断面図である。
【図１０】図８に示すカートリッジの垂直断面図である。
【図１１】図９に示すカートリッジの部分斜視図である。
【図１２】図１０に示すカートリッジの部分斜視図である。
【符号の説明】
【００２７】
１０  シングルレバー水栓
１１  吐水口
１２  水栓本体
１２ｃ  軸心
１３  カートリッジ
１３ａ  ケース
１４  弁体操作レバー
１４ａ  上端部
１４ｂ  下端部
１５  レバーガイド
１５ａ  支軸
１５ｂ  ガイド溝
１６  伝達部材
１６ａ  ガイド部
１７，２２  Ｏリング
１８  支持部材
１９  可動弁体
１９ａ  凹部
２０  固定弁体
２１，２４  パッキン
２３  底蓋
２５  レバーハンドル
【図１】
2008240981.tif 000003
【図２】
2008240981.tif 000004
【図３】
2008240981.tif 000005
【図４】
2008240981.tif 000006
【図５】
2008240981.tif 000007
【図６】
2008240981.tif 000008
【図７】
2008240981.tif 000009
【図８】
2008240981.tif 000010
【図９】
2008240981.tif 000011
【図１０】
2008240981.tif 000012
【図１１】
2008240981.tif 000013
【図１２】
2008240981.tif 000014